(57)【要約】      （修正有）【課題】スクロール圧縮機は、高い外側部分と、低くより中心の部分とが存在するような段付きラップを有し、バイパス・ポートは、高い部分と低い部分との間の遷移領域に接続されている。バイパス・ポートを段付きスクロール圧縮機に設けることによって、従来技術と比べてさらなる容量の減少を達成する。【解決手段】ベースから延びている螺旋状のラップとを有する第一及び第二のスクロール部材２６、２８と、スクロール部材のラップ３８、４０は、外側の高い部分及びより中心側の低い部分とを有し、各ラップの間に画定された圧縮室を圧縮機２０の吸引室に戻して連絡させて、より少ない容量がスクロール圧縮機により提供可能となるバイパス・ポートを備えてる。【選択図】図１
2009041564.tif 000002
【特許請求の範囲】
【請求項１】
ベースと前記ベースから延びている螺旋状のラップとを有する第一スクロール部材と、ベースと前記ベースから延びている螺旋状のラップとを有する第二スクロール部材と；
前記第一および／または第二スクロール部材の前記ラップは、外側の高い部分及びより中心側の低い部分とを有し、
前記第一および第二スクロール部材の前記各ラップの間に画定された圧縮室を圧縮機の吸引室に戻して連絡させて、より少ない容量が前記スクロール圧縮機により提供可能となるバイパス・ポートとを備えてなるスクロール圧縮機。
【請求項２】
弁が前記バイパス・ポートの開閉を制御する、請求項１に記載のスクロール圧縮機。
【請求項３】
前記バイパス・ポートは前記第二スクロール部材の前記ベースに形成される、請求項２に記載のスクロール圧縮機。
【請求項４】
ベースと前記ベースから延びている螺旋状のラップとを有する第一スクロール部材と、ベースと前記ベースから延びている螺旋状のラップとを有する第二スクロール部材を備え；
前記第一および第二スクロール部材の前記ラップは、外側の高い部分及びより中心側の低い部分とを有しており、
前記第一および第二スクロール部材の前記各ラップの間に画定された圧縮室を圧縮機の吸引室に戻して連絡させて、より少ない容量が前記スクロール圧縮機により提供可能となるバイパス・ポートを備え、前記バイパス・ポートの開閉を制御するように設けられた弁を備え、前記バイパス・ポートが、前記第二スクロール部材の前記ベースに形成されてなる、スクロール圧縮機。
【発明の詳細な説明】
【技術分野】
【０００１】
本発明は、スクロール・ラップの高さに段差があり、さらにバイパス・ポートが容量変調のために設けられているスクロール圧縮機に関する。
【背景技術】
【０００２】
スクロール圧縮機は公知であり、且つ冷媒圧縮産業において普及しつつある。スクロール圧縮機において、一対のスクロール部材はそれぞれベースとこのベースから延びている通常螺旋状ラップとを有する。２つのスクロール部材のラップは互いに嵌合して圧縮室を画定する。２つのスクロール部材の一方は他方に対して軌道運動し、軌道運動が起こるにつれて、２つの部材の間に画定された圧縮室は体積が減少し、このため捕集された冷媒は圧縮される。
【０００３】
スクロール圧縮機において公知である１つの特徴は、段付きスクロール・ラップを使用することである。段付きスクロール・ラップにおいて、スクロール・ラップのより中心の部分の高さは外側部分よりも低い。従って、螺旋の半径方向外側部分での変位体積はより大きい。より高い圧力空間を画定する中心部分の高さが減少されているので、螺旋要素の剛性は向上される。さらに、より低い圧力の外側領域における体積変化率は高圧領域よりも大きいので、クランク角に対する圧縮負荷は大きくなり、これによりモータのトルクは減少される。さらに、排出室に接続されている中心圧縮ポケットの体積は減少されているので、再膨張体積は減少され、これにより電力損失を減少させる。
【０００４】
スクロール圧縮機における公知のもうひとつの特徴は容量減少である。１つの容量減少特徴において、いわゆるバイパス機能が設けられ、ポートを開放して部分的に圧縮された冷媒を圧縮サイクルにおける吸引位置に戻して連絡させる。容量減少は、空調システムのような接続されている冷媒システムに対して、より少ない容量が必要である時に付与される。
【０００５】
バイパス・ポートを使用することによる容量減少は、単一の高さラップを有するスクロール圧縮機にのみ付与されてきた。容量減少は、全負荷時の公称容量の１００％とその容積のほぼ６７％との間でスクロール圧縮機の容量を減少させるだけであった。この従来技術におけるバイパス・ポートの位置は減少率を３３％に制限している。容量をさらに減少させる能力を有することが望ましい。しかしながら、さらに半径方向の内側にバイパス・ポートを動かすと、バイパス・ポートがスクロール圧縮機の排出ポートと連絡する可能性がある。これは望ましくない。さらに他の可能性のある方法は、スクロール・ラップを長くすることである。しかしながら、この場合には他の解決すべき問題点がある。
【発明の開示】
【０００６】
本発明の開示された実施例において、段付きラップを備えるスクロール圧縮機は、バイパス・ポートを備えている。このように、さらなる容量減少は達成されることが可能である。一例として、約５０〜６０％の容量減少は達成可能である。段付きラップの使用は従来技術の制限が生じないことを確実にして、より低い中心部分は、排出ポートからバイパス・ポートをやはり密封且つ絶縁する。
【０００７】
本発明のこれらおよび他の特徴は以下の説明および以下に簡単に説明される図面から、もっとも良く理解されることができる。
【発明を実施するための最良の形態】
【０００８】
図１は、本発明によるスクロール圧縮機２０を示す。公知であるように、吸引部分２２は、圧縮機の外郭内に吸引冷媒を供給する。電気モータ２４は軸２５を駆動して次に軌道運動スクロール部材２６を駆動する。軌道運動スクロール部材２６は、非軌道運動スクロール部材２８のラップと嵌合するスクロール・ラップを含む。軌道運動スクロール部材が非軌道運動スクロール部材に対して軌道運動するにつれて、２つのラップの間の圧縮室は体積が減少され、冷媒は中心排出ポート２９の方に圧縮される。
【０００９】
本発明において示されているように、軌道運動スクロール部材２６の外側ラップ部分３８および非軌道運動スクロール部材２８の部分４０の高さは、より中心の部分４２および４４よりも大きい。この構造は通常公知であり、上述した機能を提供する。しかしながら独自であることは、バイパス・ポート３６およびバイパス・ポート３６を閉鎖する接続されたソレノイド弁３４を含むことである（図２参照）。ソレノイド弁が開放されると、容量を減少させたい場合の制御によって、バイパス・ポート３６と接続された圧縮室４１は、バイパス・ライン３２に冷媒を連絡させ、モータ２４を囲む吸引室内に戻す。
【００１０】
バイパス・ポートは段付きラップ形態と組み合わせて使用されるので、約５０〜６０％の容量減少が達成可能である。このように、本発明のスクロール圧縮機２０は、容量の１００％または、はるかに少ない容量レベルおよび通常の容量のおよそ４０〜５０％の容量を提供する能力を有する。言うまでもなく、スクロール圧縮機設計者には自明であろう他の減少も達成可能である。
【００１１】
本発明の実施例を説明してきたが、当業者であれば、ある修正が本発明の範囲内であろうことを認識するであろう。この理由で、添付の請求項の範囲は本発明の真の範囲および内容を決めるように検討されるべきである。
【図面の簡単な説明】
【００１２】
【図１】本発明に組み込まれているスクロール圧縮機の断面図である。
【図２】本発明のスクロール圧縮機の一部分の上面図である。
【図１】
2009041564.tif 000003
【図２】
2009041564.tif 000004
【外国語明細書】
2009041564.tif 000005
2009041564.tif 000006
2009041564.tif 000007
2009041564.tif 000008
2009041564.tif 000009
2009041564.tif 000010
2009041564.tif 000011